(57)【要約】      （修正有）【課題】簡単な操作により安全かつ確実に蛍光灯を脱着できる蛍光灯脱着具を提供する。【解決手段】直管の蛍光灯を点灯器具に脱着する時に使用する蛍光灯脱着具１ａであって、操作杆２と、この操作杆２の上端側に設けられる脱着機構３と、この操作杆２の下端側に設けられる操作機構４とを備え、脱着機構３が、前記操作杆２の上端寄り部分から分岐して側方に延出され、先端に上部が開口した蛍光灯受け部を有する蛍光灯支持体６と、操作杆２の上端部近傍における蛍光灯受け部側に設けられた開閉操作可能な把持部７と、操作杆２の上端部近傍における蛍光灯受け部側とは反対側に設けられた揺動操作可能な割り込み具９および口金ストッパー３０を有しているとともに、操作機構４が、把持部７の操作部と割り込み具９の操作部とを備え、把持部７の操作部と割り込み具９の操作部とを離間させた状態で設けている。【選択図】図１
2004154935.tif 000002
【特許請求の範囲】
【請求項１】
直管の蛍光灯を点灯器具に脱着する時に使用する蛍光灯脱着具であって、
操作杆と、この操作杆の上端側に設けられる脱着機構と、この操作杆の下端側に設けられる操作機構とを備え、
脱着機構が、前記操作杆の上端寄り部分から分岐して側方に延出され、先端に蛍光灯を受け止める蛍光灯受け部を有する蛍光灯支持体と、操作杆の上端部近傍における蛍光灯受け部側に設けられた開閉操作可能な把持部と、操作杆の上端部近傍における蛍光灯受け部側とは反対側に設けられた揺動操作可能な割り込み具および口金ストッパーを有しているとともに、
操作機構が、把持部の操作部と割り込み具の操作部とを備え、把持部の操作部と割り込み具の操作部とを離間させた状態で設けていることを特徴とする蛍光灯脱着具。
【請求項２】
蛍光灯脱着時に点灯器具側のソケットホルダの外周面に当接させて、点灯器具に対する所定の位置に脱着機構を案内するソケットホルダガイドを備えていることを特徴とする請求項１記載の蛍光灯脱着具。
【請求項３】
上方が開放された支持受け部と開閉操作可能な把持部とを口金ストッパーと所定の距離だけ離間させて設け、蛍光灯取り付け作業の一段階で蛍光灯脱着具を傾けて、割り込み具の先端と口金接触点との間の距離を大きくするようにしたことを特徴とする請求項１または請求項２記載の蛍光灯脱着具。
【請求項４】
請求項１または請求項２に記載の蛍光灯脱着具を用いて蛍光灯を点灯器具に対して取り付けまたは取り外す蛍光灯脱着方法であって、
蛍光灯取り付け時には、
（１）口金ストッパーに蛍光灯の口金部分を当接させ、把持部に蛍光灯の一端部を把持        させるとともに、蛍光灯受け部で蛍光灯の中央寄り側を受け止めさせる。
（２）点灯器具の一方のソケットに蛍光灯の他端部を取り付ける。
（３）蛍光灯の他端部をソケットに取り付けたまま、割り込み具の基端部がその先端部        よりも外側に位置するように操作杆を傾斜させる。
（４）割り込み具を点灯器具の端部に当接させ、その状態で操作杆を垂直方向に戻しな        がら押し上げて、ソケット若しくは蛍光灯を移動させ、蛍光灯口金の導電ピンが        ソケットに当接すると、割り込み具の操作部を操作して割り込み具を傾斜させて        、蛍光灯口金とソケットとをさらに離間させ、さらに操作杆を押し上げて、ソケ        ットホルダーガイドをソケットホルダーに当接させた後、割り込み具の操作部を        操作して割り込み具を元の位置に戻し、口金ピンをソケットに嵌入させる。
（５）把持部の操作部を操作して、把持部を開き、蛍光灯を解放する。
蛍光灯取り外し時には、
（１）割り込み具の基端部が、その先端部よりも外側に位置するように操作杆を傾斜さ        せ、把持部を開いて割り込み具をソケットと蛍光灯との間に割り込ませる。
（２）その状態で操作杆を垂直方向に戻しながら押し上げて、ソケットと蛍光灯を移動        させ、割り込み具をソケットと蛍光灯との間に介在させる。
（３）ソケットホルダーガイドをソケットホルダーに当接させ、把持部の操作部を操作        して、把持部に蛍光灯を把持させるとともに、蛍光灯受け部に蛍光灯の中央寄り        部を受け止めさせる。
（４）割り込み具の操作部を操作して、点灯器具から蛍光灯を離間させ、蛍光灯を点灯        器具から取り外す。
手順からなることを特徴とする蛍光灯脱着方法。
【発明の詳細な説明】
【技術分野】
【０００１】
本発明は、蛍光灯を点灯器具に脱着する際に使用する蛍光灯脱着具に関するものである。
【背景技術】
【０００２】
従来、天井など高所に配設された点灯器具に蛍光灯を脱着する際には、作業者がはしごや脚立等を用いて高所に上り、危険な作業をしている。しかも、床面等を広い範囲で片付けて、設置スペースを安全に確保する必要もあり、作業工数が多く時間と労力を要するという不具合がある。
【０００３】
このような不具合に対して、脚立等を使用することなく、高所に設置されている蛍光灯を遠隔操作により脱着する蛍光灯脱着具が提案されている。この蛍光灯脱着具は、支軸の上部に、蛍光灯を保持する大型クリップと、蛍光灯の電極部分を点灯器具の電極部から切り離す小型クリップとを備えており、支軸の下部に、拳銃型のグリップを備えている。グリップには、大型クリップの前方押板を開閉操作する引金型金具と、小型クリップの電極部離脱押板を作動させる撃鉄型金具とが設けられている。
【特許文献１】実用新案登録第３０１９３２５号公報
【発明の開示】
【発明が解決しようとする課題】
【０００４】
しかしながら、上記の蛍光灯脱着具では、以下のような問題がある。すなわち、
（１）大型クリップの開閉動作が、当該クリップの基端側で行われるため、クリップの遊      端側における把持力が弱くなり、蛍光灯が脱落する危険性がある。
（２）引金型金具と拳銃型金具がグリップに設けられているため、片方の手の手指で操作      しなければならず、片方の手にかかる作業負担が大きく、ミスを起こしやすい。
（３）蛍光灯取り付け作業において、蛍光灯の一端側を点灯器具に取り付けた後、蛍光灯      の他端側を点灯器具内に挿入するための隙間を作るために、蛍光灯の一端側をさら      に点灯器具側に寄せるように、蛍光灯脱着具に力を加えた場合に、長い操作杆の先      端では力が小さくなるため大きな力が必要で、作業負担が大きい。
（４）蛍光灯脱着具を点灯器具に対して所定の位置に持っていくのが難しい。
【０００５】
本発明は、以上の問題に鑑みてなされたものであって、簡単な操作により安全かつ確実に蛍光灯を脱着できる蛍光灯脱着具およびこれを用いた蛍光灯脱着方法を提供することを目的とするものである。
【課題を解決するための手段】
【０００６】
以上の目的を達成するために、請求項１記載の蛍光灯脱着具は、
直管の蛍光灯を点灯器具に脱着する時に使用する蛍光灯脱着具であって、
操作杆と、この操作杆の上端側に設けられる脱着機構と、この操作杆の下端側に設けられる操作機構とを備え、
脱着機構が、前記操作杆の上端寄り部分から分岐して側方に延出され、先端に上部が開口した蛍光灯受け部を有する蛍光灯支持体と、操作杆の上端部近傍における蛍光灯受け部側に設けられた開閉操作可能な把持部と、操作杆の上端部近傍における蛍光灯受け部側とは反対側に設けられた揺動操作可能な割り込み具および口金ストッパーを有しているとともに、
操作機構が、把持部の操作部と割り込み具の操作部とを備え、把持部の操作部と割り込み具の操作部とを離間させた状態で設けていることを特徴とするものである。
【０００７】
また、請求項２記載の蛍光灯脱着具は、蛍光灯脱着時に点灯器具側のソケットホルダの外周面に当接させて、点灯器具に対する所定の位置に、脱着機構を案内するソケットホルダガイドを備えていることを特徴とするものである。
【０００８】
また、請求項３記載の蛍光灯脱着具は、上方が開放された支持受け部と開閉操作可能な把持部とを口金ストッパーと所定の距離だけ離間させて設け、蛍光灯取り付け作業の一段階で蛍光灯脱着具を傾けて、割り込み具の先端と口金接触点との間の距離を大きくするようにしたことを特徴とするものである。
【０００９】
また、請求項４記載の蛍光灯脱着方法は、
請求項１または請求項２に記載の蛍光灯脱着具を用いて蛍光灯を点灯器具に対して取り付けまたは取り外す蛍光灯脱着方法であって、
蛍光灯取り付け時には、
（１）口金ストッパーに蛍光灯の口金を当接させ、把持部に蛍光灯の一端部を把持させ        るとともに、蛍光灯受け部で蛍光灯の中央寄り側を受け止めさせる。
（２）点灯器具の一方のソケットに蛍光灯の他端部を取り付ける。
（３）蛍光灯の他端部をソケットに取り付けたまま、割り込み具の基端部がその先端部        よりも外側に位置するように操作杆を傾斜させる。
（４）割り込み具を点灯器具の端部に当接させ、その状態で操作杆を垂直方向に戻しな        がら押し上げて、ソケット若しくは蛍光灯を移動させ、蛍光灯口金の導電ピンが        ソケットに当接すると、割り込み具の操作部を操作して割り込み具を傾斜させて        、蛍光灯口金とソケットとをさらに離間させ、さらに操作杆を押し上げて、ソケ        ットホルダーガイドをソケットホルダーに当接させた後、割り込み具の操作部を        操作して割り込み具を元の位置に戻し、口金ピンをソケットに嵌入させる。
（５）把持部の操作部を操作して、把持部を開き、蛍光灯を解放する。
蛍光灯取り外し時には、
（１）割り込み具の基端部が、その先端部よりも外側に位置するように操作杆を傾斜さ        せ、把持部を開いて割り込み具をソケットと蛍光灯との間に割り込ませる。
（２）その状態で操作杆を垂直方向に戻しながら押し上げて、ソケットと蛍光灯を移動        させ、割り込み具をソケットと蛍光灯との間に介在させる。
（３）ソケットホルダーガイドをソケットホルダーに当接させ、把持部の操作部を操作        して、把持部に蛍光灯を把持させるとともに、蛍光灯受け部に蛍光灯の中央寄り        部を受け止めさせる。
（４）割り込み具の操作部を操作して、点灯器具から蛍光灯を離間させ、蛍光灯を点灯        器具から取り外す。
手順からなることを特徴とする蛍光灯脱着方法。
【発明の効果】
【００１０】
請求項１記載の蛍光灯脱着具によれば、直管の蛍光灯を点灯器具に脱着する際には、蛍光灯を蛍光灯受け部と把持部とにより確実に支持しつつ、割り込み具で点灯器具側のソケット若しくは蛍光灯を移動させて蛍光灯の脱着を行うため、蛍光灯の脱落などの危険がなく安全である。
【００１１】
また、把持部の操作部と割り込み具の操作部とを操作杆の下端部に離間させた状態で設けたので、両方の操作部を左右の手で別々に持って操作することができる。したがって、片方の手にだけ過大な作業負担がかかるのを防止でき、作業に伴う疲労を軽減できる。
【００１２】
また、請求項２記載の蛍光灯脱着具によれば、ソケットホルダガイドが、蛍光灯脱着時に点灯器具側のソケットホルダの外周面を受け止めて、点灯器具に対する所定の位置に脱着機構を案内するので、把持部の位置決めおよびソケットに対する導電ピンの位置決めが容易となり、作業効率が向上する。
【００１３】
請求項３記載の蛍光灯脱着具によれば、支持受け部と把持部とを口金ストッパーと所定の距離だけ離間させて設け、蛍光灯取り付け作業の一段階で蛍光灯脱着具を傾けて、割り込み具の先端と口金接触点との間の距離を大きくするようにしたので、蛍光灯を把持部で把持した状態で操作杆を傾斜させることができ、割り込み具を蛍光灯と点灯器具との間に割り込ませる際の操作性がより向上する。
【００１４】
請求項４記載の蛍光灯脱着方法によれば、操作杆を傾斜させた状態で割り込み具を点灯器具若しくは蛍光灯の端部に当接させ、その後、操作杆を垂直方向に戻しながら押し上げることによって、割り込み具でソケット若しくは蛍光灯を移動させて、ソケットと蛍光灯とを離間させることができる。したがって、作業負担の少ない簡単な操作で、安全に確実に効率よく脱着作業を行うことができる。
【発明を実施するための最良の形態】
【００１５】
本発明にかかる蛍光灯脱着具の第1の実施形態について説明する。
【００１６】
本実施形態の蛍光灯脱着具１ａは、図１に示すように、ＦＲＰ製の中空筒で形成された長さ約２ｍの操作杆２と、この操作杆２の上端部に設けられる脱着機構３と、この操作杆２の下端部に設けられる操作機構４とを備えている。
【００１７】
脱着機構３は、基体３１と、基体３１に取り付けられた脱着部５と、基体３１から分岐して側方に延出する蛍光灯支持体６とを備えている。
【００１８】
脱着部５は、図２に示すように、蛍光灯を把持する把持部７と、把持部７を開閉させる開閉部８と、蛍光灯脱着時に蛍光灯の口金と点灯器具側のソケットとの間に割り込ませる割り込み具９と、割り込み具９を揺動させる揺動部１０と、蛍光灯Ａの口金Ａ２を受け止める口金ストッパー３０とを備えて構成されている。
【００１９】
口金ストッパー３０は、図２，図３に示すように、所定間隔離間させて設けた左右一対のＬ字型のガイド部３１０を備えており、ガイド部３１０には、点灯器具のソケットホルダＢ３に当接させる左右一対のソケットホルダガイド３１１が一体に設けられている。
【００２０】
把持部７は、左右一対の基部７２，７２と、基部７２，７２の側方に延びる板状部７１，７１と、基部７２，７２から上方に延びる環状把持体７３，７３と、環状把持体７３，７３の上端部に形成された左右一対のガイド体７４，７４とを備えている。ガイド体７４，７４には、蛍光灯の外周面に沿う湾曲面状のガイド面７４０，７４０が形成されている。環状把持体７３，７３は、やや縦長の長円形状の環状体を縦方向に2分割して形成されており、閉止状態において、内面側の幅方向長さＷは蛍光灯の外径よりもやや狭く、縦方向長さＬは、蛍光灯Ａを把持したときに、蛍光灯Ａが把持した部分を支点として上下方向に揺動可能となるように、蛍光灯Ａの外径よりも５ｍｍ程度長く形成されている。また、基部７２，７２の両側面にはボス１１１，１１１が形成されている。
【００２１】
開閉部８は、把持部７の基部７２，７２をそれぞれ枢支する枢支軸１１，１１と、把持部７を閉止方向に付勢するために、前記ボス１１１，１１１から係止部１４，１４にわたって架着された蔓巻きバネ１２と、把持部７を開方向に引っ張るショートワイヤ１３０と、ショートワイヤ１３０に連結される開閉操作ワイヤ１３とを備えている。
【００２２】
ショートワイヤ１３０は、中央部分がワイヤ連結器１５に架け渡されており、両端部が把持部７の板状部７１に係止部１４，１４で係止されている。
【００２３】
開閉操作ワイヤ１３は、ワイヤ連結器１５を介してショートワイヤ１３０に連結されており、筒状のアウターワイヤ４１２と、アウターワイヤ４１２内を移動可能なインナーワイヤ１３１とを備えている。インナーワイヤ１３１の一端部は、アウターワイヤ４１２の一端部から露出して、ワイヤ連結器１５に連結されている。また、開閉操作ワイヤ４１２の他端部は、開閉操作レバー４１１に連結されている。
【００２４】
枢支軸１１には、ほぼ中央にフランジ１１２が形成され、両端部に雄ネジが形成されている。枢支軸１１，１１の一端部は、基体３１および口金ストッパー３０内に挿嵌されて、先端部がナット１１４により基体３１および口金ストッパー３０に固定されている。
【００２５】
また、枢支軸１１，１１の他端部は、把持部７に形成されたボス１１１，１１１内に遊挿され、枢支軸１１，１１を挿通可能な穴が並列に形成された２穴ワッシャー１１６が、枢支軸１１，１１の双方にまたがって取り付けられており、さらに、枢支軸１１，１１の先端部には、ナット１１５、１１５が取り付けられている。把持部７は、フランジ１１２と２穴ワッシャー１１６との間に介装され、枢支軸１１，１１の軸方向への移動が規制されている。
【００２６】
蔓巻きバネ１２は、中央部分がボス１１１、１１１の双方に巻回され、左右の各遊端部が把持部７における左右の各係止部１４，１４の下面部に当接させた状態で係止されており、把持部７を閉じる方向に付勢している。
【００２７】
割り込み具９は、絶縁材料で形成されており、割り込み片９１と、割り込み片９１の基端部から割り込み片９１に対してほぼ直角方向に延びる突出部９３と、割り込み片９１の基端部の左右両側に形成されたボス部９４，９４とを有している。割り込み片９１は、先端部に向かって薄くなる楔状となっており、突出部９３形成側の面に傾斜面９２を有している。割り込み片９１の幅方向長さは、図３に示すように、蛍光灯Ａの口金Ａ２から突出する２本の導電ピンＡ３の間に挿入可能な幅であるとともに、割り込み片９１の厚さは、導電ピンＡ３の軸方向長さよりもやや薄く、所定の位置で導電ピンがソケットから外れない厚さに形成されている。
【００２８】
割り込み具９は、突出部９３が外側を向くように、ストッパー３０のガイド部３１０，３１０の間にガイド部３１０の内面と面一に配置されている。
【００２９】
揺動部１０は、図２，図３に示すように、割り込み具９を揺動可能に支持する支持軸１８と、支持軸１８を回動中心として割り込み具９を反時計回り方向に付勢する蔓巻きバネ１９と、蔓巻きバネ１９の張力に抗して割り込み具９を時計回り方向に引っ張る揺動操作ワイヤ２０とを備えている。
【００３０】
揺動操作ワイヤ２０は、開閉操作ワイヤ１３と同様に、筒状のアウターワイヤ４２２と、アウターワイヤ４２２内を移動可能なインナーワイヤ２０１とを備えており、アウターワイヤ４２２の一端部にはアウターワイヤ止め２３が取り付けられている。インナーワイヤ２０１の一端部は、アウターワイヤ止め２３から露出して、ワイヤ係止体２１に係止されている。また、揺動操作ワイヤ２０の他端部は、操作機構４側の揺動操作レバー４２１に連結されている。
【００３１】
支持軸１８の露出部分は割り込み具９のボス部９４，９４で覆われており、蔓巻きバネ１９の中央部分は、図２，図３に示すように、基端部９２の下面に架け渡されており、両端部がボス部９４，９４の周囲に巻回されて、口金ストッパー３０の側面に係止されている。
【００３２】
蛍光灯支持体６は、アルミニウム製の中空筒で形成された蛍光灯支持杆６１と、蛍光灯の中央寄り部分を支持する蛍光灯受け部６２とを備えている。蛍光灯支持杆６１は、基体３１の側面部からほぼ水平方向に延出し、先端が上方に向かってほぼ直角に屈曲している。また、蛍光灯受け部６２は、上方が開いたＵ型の溝状に形成されている。
【００３３】
操作機構４は、把持部７の開閉動作を操作する開閉操作部４１と、割り込み具９の揺動動作を操作する揺動操作部４２とを備えている。
【００３４】
開閉操作部４１は、操作杆２の下端部に形成されており、グリップ４１０と、開閉操作レバー４１１とを備えている。開閉操作レバー４１１には、開閉操作ワイヤ１３の他端部が取り付けられている。
【００３５】
揺動操作部４２は、操作杆２の側面部から分岐する分岐操作杆４２３と、分岐操作杆４２３の先端部に設けられるグリップ４２０と、揺動操作レバー４２１とを備えている。分岐操作杆４２３は、操作杆２から蛍光灯支持杆６１と同一方向に延出しており、遊端部が下方に向けてへの字に屈曲形成されている。揺動操作レバー４２１には、揺動操作ワイヤ２０の他端部が取り付けられている。また、グリップ４１０とグリップ４２０とは、高さ方向においてほぼ同じ位置に配備されている。
【００３６】
以上のように構成された蛍光灯脱着具１ａを用いて蛍光灯Ａを天井の点灯器具Ｂに取り付ける操作方法について説明する。
【００３７】
まず、図１に示すように、蛍光灯Ａを蛍光灯脱着具１ａに取り付ける。すなわち、作業者は、把持部７の板状部７１を手で押し下げて環状把持体７３を開き、環状把持体７３に蛍光灯Ａの端部を把持させる。このとき、蛍光灯Ａの口金Ａ２を口金ストッパー３０の内面に突き当てて口金Ａ２を口金ストッパー３０内に位置決めする。さらに、蛍光灯Ａの中央寄り部分を蛍光灯受け部６２に支持させる。
【００３８】
次に、開閉操作部４１のグリップ４１０と揺動操作部４２のグリップ４２０とをそれぞれ左右の手で握り、蛍光灯Ａを取り付けた蛍光灯脱着具１ａを支持し、点灯器具Ｂにおける一方のソケットの下方に立つ。そして、操作杆２を持ち上げて、図３に示すように、蛍光灯Ａにおける蛍光灯脱着具１ａに装着されていない側の口金Ａ１を点灯器具の一方のソケットＢ１に取り付ける。
【００３９】
そして、口金Ａ１がソケットＢ１から外れないようにしながら、割り込み片９１の基端部が割り込み片９１の先端部よりも外側に位置するように操作杆２を傾斜させ、割り込み片９１の傾斜面９２を点灯器具ＢのソケットＢ２の端面に当接させる。その状態で操作杆２を垂直方向に戻し、割り込み片９１の先端部でソケットＢ２をソケットホルダＢ３内に押し込む。
【００４０】
しかる後に、操作杆２を持ち上げて、割り込み片９１を点灯器具Ｂ内に挿入する。ソケットＢ２の下端部に導電ピンＡ３が当たったら、揺動操作部４２の揺動操作レバー４２１を引き、図４に示すように、割り込み片９１を外方に傾斜させて、蛍光灯Ａの口金Ａ１とソケットＢ２との間を導電ピンＡ３の長さよりも大きく離間させる。そして、さらに操作杆２を持ち上げて、ソケットホルダＢ３にソケットホルダガイド３１１を当接させて、蛍光灯Ａを点灯器具Ｂ内の所定の位置に挿入する。
【００４１】
そして、図５に示すように、揺動操作レバー４２１から手を離し、割り込み片９１を初期位置に戻し、導電ピンＡ３をソケットＢ２に嵌合させる。蛍光灯Ａが点灯器具Ｂに取り付けられたのを確認したら、開閉操作部４１の開閉操作レバー４１１を引いて、環状把持体７３を開いて蛍光灯Ａを環状把持体７３から解放し、操作杆２を下方に下げて、蛍光灯Ａから蛍光灯脱着具１ａを取り外す。
【００４２】
次に、蛍光灯脱着具１ａを用いて蛍光灯Ａを天井の点灯器具Ｂから取り外す操作方法について次に説明する。
【００４３】
まず、作業者は、蛍光灯を取り付ける場合と同様に、開閉操作部４１のグリップ４１０と揺動操作部４２のグリップ４２０とをそれぞれ左右の手で握って蛍光灯脱着具１ａを支持し、点灯器具Ｂにおける一方のソケットの下方に立つ。
次に、図６に示すように、蛍光灯Ａの下面にガイド体７４のガイド面７４０を当接させて、蛍光灯脱着具１ａの軸中心を蛍光灯Ａの軸中心に合わせる。そして、割り込み片９１の基端部が割り込み片９１の先端部よりも外側に位置するように操作杆２を傾斜させ、割り込み片９１を蛍光灯Ａの口金Ａ２と点灯器具ＢのソケットＢ２との間に割り込ませる。その状態で操作杆２を垂直方向に戻すと同時に、開閉操作部４１の開閉操作レバー４１１を引いて、環状把持体７３を開き、蛍光灯Ａを受け入れるようにする。
【００４４】
操作杆２を持ち上げて、ソケットホルダＢ３にソケットホルダガイド３１１が当接したら、開閉操作レバー４１１から手を離して環状把持体７３を閉じ、蛍光灯Ａを把持する。このとき、図示していないが、蛍光灯支持体６の蛍光灯受け部６２が蛍光灯Ａの中央寄り部分を受け止めている。
【００４５】
そして、揺動操作部４２の揺動操作レバー４２１を引いて、図４に示すように、割り込み片９１を外方に傾斜させ、割り込み片９１でソケットＢ２をさらにソケットホルダＢ３側に押し込む。口金Ａ１とソケットＢ２との隙間が、導電ピンＡ３の長さよりも大きくなって、導電ピンＡ３がソケットＢ２から外れたら、割り込み片９１を外方に傾斜させた状態を維持しつつ、操作杆２を下方に移動させて、蛍光灯Ａを点灯器具Ｂから取り外す。
【００４６】
以上詳細に述べたように、本実施形態の蛍光灯脱着具１ａは、直管の蛍光灯Ａを点灯器具Ｂに脱着する際に、蛍光灯受け部６２と環状把持部７３とにより蛍光灯Ａを保持した状態で、割り込み具９により点灯器具ＢのソケットＢ２を簡単かつ確実に移動させて、蛍光灯Ａの脱着を行うので、蛍光灯の落下などの操作ミスを防止でき、安全かつ確実に効率よく脱着作業をすることができる。
【００４７】
また、把持部７の開閉動作を操作する開閉操作部４１を操作杆２の下端部に設けるとともに、割り込み具９の揺動動作を操作する揺動操作部４２を操作杆２から分岐させた分岐操作杆４２３の先端部に設けることにより、開閉操作部４１と揺動操作部４２とを離間させた状態で設けたので、両方の操作部４１，４２を左右の手で別々に持って操作することができる。したがって、片方の手にだけ過大な作業負担がかかるのを防止でき、作業に伴う疲労を軽減できる。
【００４８】
さらに、分岐操作杆４２３が、操作杆２の上端側に設けた蛍光灯支持体６の蛍光灯支持杆６１と同一方向に延設されているので、操作杆２を傾斜させた時は勿論のこと、操作杆２を垂直方向に支持した時においても回転モーメントや蛍光灯脱着具１ａ全体の荷重を無理なく受け止めることができる。したがって、作業時のバランスを崩しにくく、作業の安全性が向上する。
【００４９】
加えて、操作杆２をＦＲＰ製の中空筒で、分岐操作杆４２３をアルミニウム製の中空筒で形成したので、蛍光灯脱着具１ａ全体を軽量化でき、作業者の疲労も軽減できる。
【００５０】
また、把持部７と開閉操作部４１と、割り込み具９と揺動操作部４２とをワイヤケーブルで連結しているので、把持部の開閉動作および割り込み具の揺動動作をそれぞれ遠隔操作することができる。その際、開閉操作部４１および揺動操作部４２は、グリップ４１０，４２０および操作レバー４１１，４２１とを備えているので、操作レバー４１１，４２１を引くときの力の入れ具合を調節しやすい。
【００５１】
さらに、割り込み片９１は、先端部に向かって傾斜する傾斜面９２を有しており、先端部に向かって薄くなる楔状となっているので、蛍光灯Ａの脱着時において、点灯器具ＢのソケットＢ１と蛍光灯Ａとの隙間への差し込みや抜き取りをスムーズに行うことができる。
【００５２】
また、割り込み具９は絶縁材料で形成されているので、脱着時に感電する恐れがなく安全性が高い。
【００５３】
また、割り込み片９１の幅方向長さが、蛍光灯Ａの口金Ａ１から突出する２本の導電ピンＡ３の間に挿入可能な長さであるとともに、割り込み片９１の厚さが、導電ピンＡ３の軸方向長さよりもやや薄く、所定の位置で導電ピンがソケットから外れない厚さに形成されているので、導電ピンＡ３の間への差し込み作業や抜き取り作業などの各作業ステップを確実に行うことができる。
【００５４】
環状把持部７３は、閉止状態において、内面側の幅方向長さＷが蛍光灯の外径よりもやや短く形成されているので、蛍光灯Ａの左右両側を確実に把持できる。
【００５５】
環状把持部７３の縦方向長さＬは、蛍光灯Ａを把持したときに、蛍光灯Ａが把持した部分を支点として上下方向に揺動可能となるように、蛍光灯Ａの外径よりも５ｍｍ程度長く形成されている。また、環状把持部７３が蛍光灯受け部６２とは別個に設けられている。したがって、蛍光灯Ａを点灯器具Ｂに脱着する際に、蛍光灯Ａを環状把持部７３で把持した状態で、蛍光灯Ａに対して蛍光灯脱着具１ａを相対的に傾斜させることができ、脱着作業時の操作杆２の操作をスムーズに行うことができる。
【００５６】
ところで、点灯器具の構造としては、ソケットＢ１，Ｂ２がソケットホルダＢ３，Ｂ４から突出したものだけでなく、図７に示すように、ソケットＣ１がソケットホルダＣ２内に設けられているものもある。
【００５７】
このような点灯器具Ｃに取り付けられた蛍光灯Ａを取り外す場合には、まず、蛍光灯Ａの下面にガイド体７４のガイド面７４０を当接させて、蛍光灯脱着具１ａの軸中心を蛍光灯Ａの軸中心に合わせ、割り込み片９１のソケットＣ１への挿入位置を位置決めする。開閉操作レバー４１１を引いて、環状把持部７３を開くとともに、揺動操作レバー４２１を引いて割り込み片９１を外方に大きく傾斜させる。そして、割り込み片９１の基端部が割り込み片９１の先端部よりも内側に位置するように操作杆２を傾斜させ、割り込み片９１の先端部をソケットＣ１に当接させる。
【００５８】
割り込み片９１を傾斜方向に押し込み、割り込み片９１を口金Ａ２とソケットＣ１との間に割り込ませる。そして、揺動操作レバー４２１から手を離して、割り込み片９１が初期位置に戻ろうとする復元力を利用して蛍光灯Ａの口金Ａ２をソケットホルダＣ２側に移動させる。
【００５９】
しかる後、操作杆２を垂直方向に立て直し、操作杆２を上方に押し上げる。口金ストッパー３１０内に口金Ａ２を案内しながら、操作杆２をさらに上方に押し上げて、ソケットホルダＢ３にソケットホルダガイド３１１を当接させて、割り込み片９１を一対の導電ピンＡ３の間に挿入する。その後は、前述したソケットＢ１からの取り外す場合の手順と同様にして、蛍光灯Ａを点灯器具Ｃから取り外す。
【００６０】
なお、点灯器具Ｃに蛍光灯Ａを取り付ける場合には、点灯器具Ｂに取り付ける手順と同様に、蛍光灯脱着具１ａを操作すればよい。
【００６１】
このように、本実施の形態の蛍光灯脱着具１ａは、割り込み片９１を揺動操作可能に設けているとともに、割り込み片９１の形状を先端に向かって薄くなる楔状に形成したものであるので、点灯器具の種類にかかわらず使用可能であり、汎用性があり便利である。
【００６２】
なお、蛍光灯脱着具１ａの使用は、点灯器具が天井に設置された場合に限定されるものではなく、例えば、天井近くの側壁面や軒下、あるいは外壁面など、手の届きにくい高所に蛍光灯を脱着する場合に好適である。
【００６３】
また、操作杆２の長さは、本実施の形態に限られず、長くても短くても構わない。例えば、操作杆２に延長用アタッチメントを取り付けたり、伸縮可能な構造にするなどして操作杆２の長さを調節可能にすれば、取り付け場所までの高さに応じた最適な長さで作業ができるので、より好適である。
【００６４】
また、環状把持体７３の内面をゴムシートなどの弾性材で被覆してもよい。このようにすれば、製作誤差を吸収できる上、滑り止め効果も得られるので、当接時の衝撃力が吸収され、より安全に蛍光灯を把持することができる。
【００６５】
また、操作杆２および蛍光灯支持杆６１の材質は、実施の形態に限られず、他の合成樹脂製あるいは金属製であってもよいが、強度が高く軽量のものが好ましい。
【００６６】
さらに、割り込み具９は、金属製で先端部を絶縁材料でカバーしたものであってもよい。このようにすれば、割り込み具９の強度が向上し、割り込み具９の破損を効果的に防止できる。
【００６７】
また、割り込み片９１の幅方向長さは、蛍光灯Ａにおける一対の導電ピンＡ３の間にほぼ隙間なく挿入可能な程度に長さとしたが、導電ピンＡ３との間に余裕を持って挿入可能な程度に狭くしてもよい。このようにすれば、ソケットＢ２に導電ピンＡ３が縦向きまたは斜め向きに嵌合するタイプの点灯器具に蛍光灯Ａを取り付ける際にも使用できる。
【００６８】
次に、第２の実施形態の蛍光灯脱着具１ｂについて説明する。蛍光灯脱着具１ｂは、例えば１１０Ｗの太径の直管蛍光灯を対象としたもので、図９に示すように、導電ピンの周囲が筒状のカバー体Ｄ１で覆われた蛍光灯Ｄを点灯器具Ｂに脱着する場合に使用されるものである。なお、蛍光灯脱着具１ｂは、基本的には蛍光灯脱着具１ａと同様の構造であるので同一の符号を付すことにより説明を省略し、異なる部分についてのみ説明する。
【００６９】
割り込み具９ｂは、図８に示すように、左右１対の割り込み片９１ｂと、割り込み片９１ｂの基端部から割り込み片９１ｂに対してほぼ直角方向に延びる突出部９３ｂを有している。一対の割り込み片９１ｂは、突出部９３ｂ形成側の面に、先端部に向かって傾斜する傾斜面９２ｂを有しており、先端部に向かって薄くなる楔状となっている。また、一対の割り込み片９１ｂは、カバー体Ｄ１の幅方向長さよりもやや長い距離だけ離間させて並列に設けられており、蛍光灯Ｄの口金Ｄ２から突出するカバー体Ｄ１を挿入可能となっている。さらに、図９に示すように、割り込み片９１ｂおよび口金ストッパー３０の厚さｔは、カバー体Ｄ１の突出長さよりもやや薄く形成されている。
【００７０】
揺動部１０ｂは、割り込み具９ｂを揺動可能に支持する支持軸１８ｂと、割り込み具９ｂとアウターワイヤ止め２３との間に配置され、割り込み具９ｂを反時計回り方向に付勢するコイルバネ２４と、コイルバネ２４に抗して割り込み具９ｂを時計回り方向に引っ張る揺動操作ワイヤ２０を備えている。
【００７１】
ソケットホルダガイド３１１ｂは、割り込み具９ｂの側面に割り込み具９ｂに一体に形成されている。
【００７２】
把持部７ｂは、側方に延びる板状部７１，７１が形成された基部７２，７２と、基部７２，７２の上方に延設された左右一対の環状把持体７３とを備えている。
【００７３】
なお、左右１対の割り込み片９１ｂで蛍光灯Ｄへの取り付け位置を位置決めできるため、蛍光灯脱着具１ａの把持部７に形成されているガイド体７４は形成されていない。
【００７４】
また、蛍光灯Ｄの導電ピンは絶縁材料からなるカバー体Ｄ１で覆われているので、割り込み具９ｂは、絶縁材料で形成されていなくてもよい。
【００７５】
以上のように構成された蛍光灯脱着具１ｂを用いて蛍光灯Ｄを天井の点灯器具Ｅから取り外す操作方法について説明する。図９に示すように、把持部７ｂを開いた状態で、操作杆２を傾斜させて、口金Ｄ２とソケットホルダＥ１との間に割り込み片９１ｂの先端部を斜め下方から割り込ませる。
【００７６】
操作杆２を垂直方向に戻しながら、割り込み片９１ｂの先端部で蛍光灯ＤをソケットホルダＥ３側に移動させる。操作杆２を持ち上げて、口金ストッパー３０内に口金Ｄ２を案内する。
【００７７】
そして、割り込み片９１ｂを口金Ｄ２とソケットホルダＥ１との間に挿入する。ソケットホルダＥ１にソケットホルダガイド３１１ｂを当接させて、割り込み片９１ｂの位置決めをし、割り込み片９１ｂをカバー体Ｄ１の両側に配置させる。
【００７８】
次に、把持部７ｂを閉じて把持部７ｂで蛍光灯Ｄを把持するとともに、蛍光灯受け部６２で蛍光灯Ｄを支持する。その状態で、揺動操作レバー４２１を引いて割り込み片９１ｂを外側に傾斜させて、蛍光灯ＤをソケットＥ３側に移動させることにより、反対側のソケットＥ２をソケットホルダＥ３内に押し込み、カバー体Ｄ１をソケットホルダＥ１から離間させて、蛍光灯Ｄを点灯器具Ｅから取り外す。
【００７９】
蛍光灯Ｄを点灯器具Ｅに取り付ける場合は、まず、蛍光灯Ｄを蛍光灯脱着具１ｂに取り付ける際に、割り込み片９１ｂの間にカバー体Ｄ１を配置させるとともに、口金ストッパー３０内に蛍光灯Ｄを配置させる。その後は、蛍光灯脱着具１ａを使用する場合と同様の手順で取り付ければよい。
【００８０】
なお、蛍光灯脱着具１ｂは、割り込み片９１ｂがカバー体Ｄ１の幅方向長さよりもやや長い距離だけ離間させて並列に設けられているので、ソケットＢ２に導電ピンＡ３が縦向きまたは斜め向きに嵌合するタイプの点灯器具に蛍光灯Ｄを取り付ける際にも使用できる。
【図面の簡単な説明】
【００８１】
【図１】本発明における第１実施形態の蛍光灯脱着具１ａの外観図。
【図２】蛍光灯脱着具１ａの一部を拡大して示す斜視図。
【図３】点灯器具に蛍光灯を取り付ける際の蛍光灯脱着具１ａの操作手順を示す説明図。
【図４】点灯器具に蛍光灯を脱着する際の蛍光灯脱着具１ａの操作手順を示す説明図。
【図５】点灯器具に蛍光灯を脱着する際の蛍光灯脱着具１ａの操作手順を示す説明図。
【図６】点灯器具から蛍光灯を取り外す際の蛍光灯脱着具１ａの操作手順を示す説明図。
【図７】点灯器具から蛍光灯を取り外す際の蛍光灯脱着具１ａの操作手順を示す説明図。
【図８】本発明における第２実施形態の蛍光灯脱着具１ｂの一部を拡大して示す斜視図。
【図９】点灯器具から蛍光灯を取り外す際の蛍光灯脱着具１ｂの操作手順を示す説明図。
【符号の説明】
【００８２】
１ａ，１ｂ    蛍光灯脱着具
２            操作杆
４１          開閉操作部（把持部の操作部）
４２          揺動操作部（割り込み具の操作部）
６１          蛍光灯支持杆
６２          蛍光灯受け部
７，７ｂ      把持部
９，９ｂ      割り込み具
【図１】
2004154935.tif 000003
【図２】
2004154935.tif 000004
【図３】
2004154935.tif 000005
【図４】
2004154935.tif 000006
【図５】
2004154935.tif 000007
【図６】
2004154935.tif 000008
【図７】
2004154935.tif 000009
【図８】
2004154935.tif 000010
【図９】
2004154935.tif 000011